(57)【要約】      （修正有）【課題】グラインダの回転刃による対象物の切断、研削又は研磨等の作業を中断することなく、回転刃に確実かつ継続的に水を供給しつづけ、回転刃によって発生する塵の飛散を継続して低減させる、作業性のよい、給水タンク装置を提供する。【解決手段】グラインダ２のカバー２ｃで覆われた回転刃２ｂが、被処理対象物に接触することで飛散する塵を、前記回転刃に水を供給することで前記塵の飛散を低減させる給水タンク装置１０であって、前記回転刃の側面に当接する吸水体５と、前記吸水体を保持する保持部４と、前記保持部を保持して前記カバーに固定される固定具１３と、前記水を貯溜し前記カバーに固定されるキャップ６ｂを備えるタンク６と、一端が前記タンク内に位置し他端が前記吸水体に連絡する送液部７と、前記タンク内に空気を取り入れ前記送液部への自然通水を可能にする吸気部８と、からなることを特徴とする給水タンク装置の構成とした。【選択図】図１
0003192091.tif 000002
【実用新案登録請求の範囲】
【請求項１】
グラインダのカバーで覆われた回転刃が、被処理対象物に接触することで飛散する塵を、前記回転刃に水を供給することで前記塵の飛散を低減させる給水タンク装置であって、
前記回転刃の側面に当接する吸水体と、
前記吸水体を保持する保持部と、
前記保持部を保持して前記カバーに固定される固定具と、
前記水を貯溜し前記カバーに固定されるキャップを備えるタンクと、
一端が前記タンク内に位置し他端が前記吸水体に連絡する送液部と、
前記タンク内に空気を取り入れ前記送液部への自然通水を可能にする吸気部と、
からなることを特徴とする給水タンク装置。
【請求項２】
前記吸気部に、空気の吸気量を調節するツマミを備え、前記空気の吸気量を調節することで前記水の前記送液部への通水量を調節することを特徴とする請求項１に記載の給水タンク装置。
【請求項３】
前記カバー又は／及び前記グラインダの本体の底部に垂れ下げて固定され、前記回転刃によってはじき飛ばされた水しぶきを当てるプロテクターを備えることを特徴とする請求項１又は請求項２に記載の給水タンク装置。
【請求項４】
請求項１〜請求項３のいずれか１項に記載の給水タンク装置を、前記グラインダのカバーに装着したことを特徴とするタンク給水式グラインダ。
【請求項５】
請求項４に記載のタンク給水式グラインダに強制送水式の水貯溜送液装置を備え、前記タンク給水式グラインダから前記タンク及び前記吸気部を除き、前記送液部に、前記水貯溜送液装置から送液される水を通す送液チューブを連結することで、前記水貯溜送液装置からの送液をも可能としたことを特徴とするタンク給水式グラインダ。
【考案の詳細な説明】
【技術分野】
【０００１】
本考案は、コンクリート、石、金属、木材、塩化ビニルなどのプラスチック等の対象物を切断、研削又は研磨等するグラインダの回転刃を回転させ、対象物に当接したときの粉塵を水で低減させる、給水タンク装置及びタンク給水式グラインダに関する。
【背景技術】
【０００２】
回転刃による、切断、研削又は研磨等において、粉塵を低減させる技術として、特許文献１の発明が公開されている。特許文献１の発明は、コンクリート等の切断に用いるグラインダに装着して、粉塵の飛散を防止し、かつ集塵も効果的に行うことができる装置であって、グラインダ１の回転刃３に沿って設けられた防護部材４に着脱自在に取り付けられる多孔質吸水性カバー１０と、前記防護部材４の後端附近に着脱自在に取り付けられる多孔質吸水性フード２０からなる防塵装置である。
【０００３】
特許文献１の段落００１２には、「前記カバー１０は、図３及び図４に示すように、前記面ファスナ５に対応して係合する面ファスナ１１を有するわん曲した係止部１２と、この上端から回転刃３を被うように突き出したほぼ三日月型のひさし部１３から成る。このひさし部１３は、スポンジ、綿（わた）等の多孔質で吸水性のある材料によって形成するのが好ましい。また、係止部１２の先端にフラップ１４を設け、このフラップ１４の中間にスリット１５を設けて、回転刃３がこのスリット１５を通って回転するようにしておけば、防塵効果がより向上する。このフラップ１４もスポンジ等の多孔質吸水性材料で形成するのがよい。」とある。
【０００４】
また、段落００１７には、「上記のような防塵装置を用いる場合には、ひさし部１３や集塵袋２２に水を含浸させておけば防塵・集塵効果が向上する。」とある。
【０００５】
すなわち、引用文献１のグラインダの防塵装置は、多孔質吸水性カバーで、回転刃を覆い、かつ多孔質吸水性フードで粉塵を回収するというものであり、必用に応じて水を含浸させるものである。
【０００６】
しかしながら、引用文献１のグラインダの防塵装置では、多孔質吸水性カバーに水を含浸させたとしても、作業の進行とともに、回転刃の回転により含浸された水は吹き飛ばされ、継続して十分な粉塵防止効果を発揮することができない。防塵効果を維持するためには、時折切断、研削又は研磨等作業を中断し、多孔質吸水性カバーへの含水作業を行わなければならず、煩雑でかつ作業性が非効率であった。
【先行技術文献】
【特許文献】
【０００７】
【特許文献１】実開平５−８５５４５号公報
【考案の概要】
【考案が解決しようとする課題】
【０００８】
そこで、本考案は、グラインダの回転刃による対象物の切断、研削又は研磨等の作業を中断することなく、回転刃に確実かつ継続的に水を供給しつづけ、回転刃によって発生する塵の飛散を継続して低減させる、作業性のよい、給水タンク装置及びタンク給水式グラインダを提供することを目的とする。
【課題を解決するための手段】
【０００９】
本考案は、上記課題を解決するため、
（１）
グラインダのカバーで覆われた回転刃が、被処理対象物に接触することで飛散する塵を、前記回転刃に水を供給することで前記塵の飛散を低減させる給水タンク装置であって、
前記回転刃の側面に当接する吸水体と、
前記吸水体を保持する保持部と、
前記保持部を保持して前記カバーに固定される固定具と、
前記水を貯溜し前記カバーに固定されるキャップを備えるタンクと、
一端が前記タンク内に位置し他端が前記吸水体に連絡する送液部と、
前記タンク内に空気を取り入れ前記送液部への自然通水を可能にする吸気部と、
からなることを特徴とする給水タンク装置。
（２）
前記吸気部に、空気の吸気量を調節するツマミを備え、前記空気の吸気量を調節することで前記水の前記送液部への通水量を調節することを特徴とする（１）に記載の給水タンク装置。
（３）
前記カバー又は／及び前記グラインダの本体の底部に垂れ下げて固定され、前記回転刃によってはじき飛ばされた水しぶきを当てるプロテクターを備えることを特徴とする（１）又は（２）に記載の給水タンク装置。
（４）
（１）〜（３）のいずれかに記載の給水タンク装置を、前記グラインダのカバーに装着したことを特徴とするタンク給水式グラインダ。
（５）
（４）に記載のタンク給水式グラインダに強制送水式の水貯溜送液装置を備え、前記タンク給水式グラインダから前記タンク及び前記吸気部を除き、前記送液部に、前記水貯溜送液装置から送液される水を通す送液チューブを連結することで、前記水貯溜送液装置からの送液をも可能としたことを特徴とするタンク給水式グラインダ。
とした。
【考案の効果】
【００１０】
本考案は、上記構成であるので、対象物の切断、研削又は研磨等の作業を中断することなく、グラインダの回転刃に確実かつ継続的に水を供給しつづけ、回転刃によって発生する塵の飛散を継続して防止することができる。また、対象物の切断、研削、研磨において、回転刃に本考案を用いることで、水で粉塵を減らすことができるため、粉塵吸引による作業者の健康被害を減らすことができる。また、タンク給水式であるので、準備、作業性、片付けも容易である。
【００１１】
給水タンク式のため、水量が限られるが、バルブ等で給水の通水、止水操作をしなくとも、グラインダの不使用時及び持ち運び中は水が漏れない（吐出されない）ので使い勝手が良い。
【図面の簡単な説明】
【００１２】
【図１】本考案であるタンク給水式グラインダの第一の実施形態の斜視模式図である。
【図２】本考案であるタンク給水式グラインダの第一の実施形態の正面模式図である。
【図３】本考案であるタンク給水式グラインダのキャップ、吸気部、送液部と介在の正面模式図である。
【図４】固定具のカバーへの取り付方法の説明図である。
【図５】介在の斜視模式図である。
【図６】他の給水タンク装置の正面模式図である。
【図７】逆止弁の説明図（タンク斜め位置）である。
【図８】逆止弁の説明図（タンク上下反転位置）である。
【図９】第二プロテクターの説明図である。
【図１０】他のプロテクターの説明図である。
【図１１】一体型プロテクターの説明図である。
【図１２】一体型プロテクターの背面斜視図である。
【図１３】水貯溜送液装置からの送水の説明図である。
【考案を実施するための形態】
【００１３】
以下、図面に基づき本考案について詳細に説明する。なお、本考案は下記実施例に限定されるものではない。
【実施例１】
【００１４】
図１〜図５に示すように、本考案の第一の実施形態であるタンク給水式グラインダ１は、グラインダ２と、固定具３と、保持部４と、吸水体と、給水タンク装置１０と、プロテクター１２とからなり、回転刃２ｂが被処理対象物に接触することで飛散する塵を、回転刃２ｂに水を供給することで低減させる。プロテクター１２は、必要に応じて用いる。
【００１５】
グラインダ２は、回転刃２ｂを回転させるモータを内蔵するとともに手によって把持される本体２ａと、本体２ａのモータに電気的に接続するコード２ｄと、コード２ｄの端部に備えられる電源に接続するプラグ２ｅと、回転刃２ｂの上面の手元側を略半分覆い、底面側では回転刃２ｂを全面露出させ本体２ａに着脱可能に固定されるカバー２ｃとからなり、一般に市場に流通している既存のグラインダ（サンダーなどと呼ばれることもある）を用いることができる。
【００１６】
電源は、商用電源の他、充電式バッテリ、発電機を用いることができる。さらに、エンジン式のグラインダであれば、モータ、コード２ｄを備えず、電源も不要である。エンジン式のグラインダにも、本考案は適用できる。
【００１７】
吸水体は、保持部４に収納され、端部が保持部４から少し突出し回転刃２ｂの側面に当接する。吸水体の素材は、ここでは、スポンジ５としたが、多孔質で、吸水性素材であれば、特に、名称、素材は限定されない。例えば、布なども採用でき、各種素材を組み合わせることもできる。吸水体の形状は、ここでは円柱状としたがその形状も限定されるものではなく、保持部４の形状による。
【００１８】
スポンジ５を採用することなく、単に、水６ｃを回転刃２ｂに噴射、供給するだけでは、回転刃２ｂの回転により噴射、供給された水ははじき飛ばされ、回転刃２ｂを十分に濡らすことができず、粉塵と水の共存物をなすことができず、粉塵の飛散効果が高くない。
【００１９】
保持部４は、スポンジ５を収納保持する。ここでは、図４に示すように、送液部７を挿通する切欠き状の穴４ａを有する筒状としたが、スポンジ５を回転刃２ｂの回転で吹き飛ばされないよう固定する方式であれば、他の手段によってスポンジ５を保持してもよい。
【００２０】
固定具３は、ここでは、図４等に示すように、左Ｌ字溝３ｂを備えカバー２ｃに固定される左Ｌ字部３ａと、右Ｌ字溝３ｄを備えカバー２ｃに固定される右Ｌ字部３ｃと、左右Ｌ字部３ａ、３ｃを留具３ｆで連結固定するとともに保持部４をネジ３ｇなどで位置決めして保持する連結部３ｅと、カバー２ｃの第二穴２ｇに挿通する左右係止部３ｈ、３ｉと、左右係止部３ｈ、３ｉに螺合し左右Ｌ字部３ａ、３ｃをカバー２ｃに締め付け固定する蝶ナット３ｋとからなる。
【００２１】
左右Ｌ字部３ａ、３ｃは回動可能で、カバー２ｃの大きさに合わせて位置移動させることができる。固定具３は、ここで示した他、保持部４を位置固定してカバー２ｃに固定することができれば、その形状は限定されない。なお、左右Ｌ字部３ａ、３ｃを回動させることがない場合には、左右Ｌ字部３ａ、３ｃ、連結部３ｅ、保持部４を一体成形してもよい。
【００２２】
固定具３をカバー２ｃに固定する方法について、図４を参照して説明する。先ず、図４（Ａ）に示すように、左右Ｌ字部３ａ、３ｃ及び連結部３ｅを組み立て、連結部３ｅに保持部４を取り付け、保持部４にスポンジ５を収納する。
【００２３】
続いて、図４（Ｂ）に示すカバー２ｃの内側に係止され、外側に突出した左右係止部３ｈ、３ｉに、左右Ｌ字溝３ｂ、３ｄを嵌める（図４Ｃ）。なお、図４（Ｂ）の第三穴２ｈは、ネジ９ｇで、介在９をカバー２ｃに固定するための穴である。
【００２４】
その後、図４（Ｄ）に示すように、左右Ｌ字部３ａ、３ｃを実線矢印方向（図４では上方向）にスライドさせ、左右Ｌ字溝３ｂ、３ｄの屈曲部に左右係止部３ｈ、３ｉを係止する。
【００２５】
最後に、蝶ナット３ｋを左右係止部３ｈ、３ｉに螺合させ、固定具３を締め付け、カバー２ｃへの固定が完了する。なお、ここでは、左右係止部３ｈ、３ｉはネジとしたが、ネジ端部を拡張して、左右Ｌ字溝の屈曲部にネジを嵌めることでも、蝶ナット３ｋを用いることなく、固定具３の脱落を防止することができる。
【００２６】
その結果、カバー２ｃの第一穴２ｆと保持部４の穴４ａが一致し、カバー２ｃと保持部４を貫通する貫通孔が形成される。その後、介在９とともに、給水タンク装置１０をカバー２ｃに固定すると、前記貫通孔に送液部７が挿通され、水６ｃがスポンジ５に連続供給される。
【００２７】
給水タンク装置１０は、タンク６と、送液部７と、吸気部８と、介在９とからなり、一部外周をカバー２ｃで覆われた回転刃２ｂを備えるハンディータイプのグラインダ２のカバー２ｃに脱可能に装着して使用されるものあって、回転刃２ｂに水６ｃを連続供給する。
【００２８】
タンク６は、水６ｃを貯溜する本体６ａと、本体６ａに螺合するキャップ６ｂとからなり、カバー２ｃに直接又は間接的に固定される。タンク６の水６ｃが少なくなったら、本体６ａをキャップ６ｂから外して水６ｃを本体６ａに補充し、再びキャップ６ｂに螺合すればよい。
【００２９】
送液部７は、一端がタンク６内に位置し、他端が吸水体に連絡するゴム、金属製などの管状のチューブであり、素材は限定されない。ここでは、キャップ６ｂに穿設した穴、カバーの第一穴２ｆ、保持部４の穴４ａを通り、スポンジ５に突き刺さり、スポンジ５に水６ｃを連続吸水する。吸気部８から空気６ｄを取り入れることで、水６ｃは、回転刃２ｂを下向きにすることで、スポンジ５に自然通水する。送液部７の他端は、カバー２ｃを貫通することなく、カバー２ｃを迂回してスポンジ５に連絡して、水６ｃをスポンジ５に供給してもよい。なお送液部７とキャップ６ｂとを一体成形してもよい。
【００３０】
吸気部８は、タンク６内に空気６ｄを取り入れ、送液部７への自然通水を可能にさせるものであって、キャップ６ｂを貫通するチューブ８ａと、チューブ８ａのタンク６の外側に位置する一端にある吸気口８ｂと、チューブ８ａに設けられた吸気量を調節するツマミ８ｃと、タンク６の本体６ｆに接続する一端側にある逆止弁８ｄとからなる。逆止弁８ｄは、チューブ８ａの一端に接続する筒８ｅと、筒８ｅ内を上下動等する弁８ｆと、筒８ｅの他端部に設けられた空気６ｄの吐出口８ｇとからなる。逆止弁８ｄは、いずれにしても、タンク６内の水６ｃを排出することなく、タンク６の外から内へ空気の一方通行の流れのみ許容する構造であれは、その構造は限定されるものではない。さらに、逆止弁８ｄ、ツマミ８ｃは、別体として、タンク６に直接設置してもよい。ツマミ８ｃで空気の吸気量を調節することで、水６ｃの送液部７への通水量を調節することができる。なお、チューブ８ａとキャップ６ｂとを一体成形してもよい。
【００３１】
介在９は、図５等に示すように、キャップ６ｂの穴及びカバー２ｃの第一穴２ｆの位置に穿設された穴９ｂ及びネジ９ｆで介在９をキャップ６ｂに固定するネジ穴９ｃを備える平板９ａと、平板９ａから垂下し穴９ｅを備える垂下部９ｄとからなる。穴９ｅは、介在９をカバー２ｃに固定するネジ９ｇを通すネジ穴である。介在９は、ネジ９ｇでカバー２ｃに固定される。
【００３２】
プロテクター１２は、図２に示すように、固定具１３と、シート１４とからなり、カバー２ｃの底部に固定され、シート１４の他端は、下方に垂れ下がり、回転刃２ｂの回転により飛散する水しぶきを当て、作業者、作業場所周辺の汚れを低減させる。シート１４は、ゴムシート状などの可撓性で防水シートであることが望ましい。
【００３３】
固定具１３は、コの字型の挟持部１３ａと、挟持部１３ａ内に配置されネジ１３ｃなどで挟持部１３ａに固定された磁石１３ｂと、挟持部１３ａに螺合し、挟持部１３ａをカバー２ｃに固定させる蝶ボルト１３ｄと、挟持部１３ａに連接された留具１３ｆを通す穴を有するプレート１３ｅと、プレート１３ｅにシート１４を固定する留具１３ｆとからなる。挟持部１３ａ及びプレート１３ｅはプラスチック或いは金属の一体成型或いは別体成型としてもよい。
【００３４】
なお、固定具１３に換え、固定具３の左右Ｌ字部３ａ、３ｃと同様に左右係止部３ｈ、３ｉと蝶ナット３ｋで、カバー２ｃ底部に板を介してシート１４を固定しても、介在９と同様にカバー２ｃ左側面にネジ９ｇでＬ字金具をネジ留めしてシート１４を固定してもよい。いずれにしても、固定具１３は、シート１４をカバー２ｃの底部に垂れ下げ固定できる形状であれば特に限定されない。
【００３５】
磁石１３ｂは、磁力により、鉄製等のグラインダ２のカバー２ｃに吸着し、挟持部１３ａを蝶ボルト１３ｄで固定するまでの間仮留めとなり、プロテクター１２の位置を保持し、固定作業を補助する。磁石１３ｂを有することで、蝶ボルト１３ｄの締め付け作業を１人でも簡単にできることとなる。
【００３６】
なお、磁石１３ｂがネオジウム磁石であれば、蝶ボルト１３ｄを用いることなく、グラインダ２作業においても、プロテクター１２を安定的にカバー２ｃに装着することもできる。
【実施例２】
【００３７】
図６を参照して、他の給水タンク装置１０ａについて説明する。給水タンク装置１０ａは、実施例１の給水タンク装置１０において、吸気部８がキャップ６ｂを貫通することなく、本体６ｆに貫通している点が異なる。その他は、給水タンク装置１０と同様である。
【００３８】
すなわち、給水タンク装置１０ａは、タンク６ｅと、送液部７と、吸気部８ｈと、介在９とからなり、一部外周をカバー２ｃで覆われた回転刃２ｂを備えるハンディータイプのグラインダ２のカバー２ｃに着脱可能に装着して使用されるものあって、回転刃２ｂに水を連続供給する。
【００３９】
タンク６ｅは、水６ｃを貯溜する本体６ｆと、本体６ｆに螺合するキャップ６ｇとからなり、カバー２ｃに直接又は間接的に固定される。
【００４０】
吸気部８ｈは、タンク６ｅ内に空気６ｄを取り入れ、送液部７への自然通水を可能にさせるものであって、チューブ８ａと、チューブ８ａのタンク６ｅの外側に位置する一端にある吸気口８ｂと、チューブ８ａに設けられた吸気量を調節するツマミ８ｃと、タンク６ｅ側に位置する一端にありタンク６ｅの本体と接続する逆止弁８ｄとからなる。
【００４１】
図７に示すように、給水タンク装置１０ａを、斜めに傾けた場合であっても、送液部７が水６ｃの底部に位置すれば、水６ｃは送液部７からスポンジ５へ自然通水される。その通水に伴って、吸気部８ｈは、吐出口８ｇが水６ｃ中、或いは水６ｃから露出していたとしても、空気を吸気口８ｂから吸引し、タンク６ｅ外からタンク６ｅ内への一方通行の逆止弁８ｄによって、吐出口８ｇから空気がタンク６ｅに導入され、送液部７から自然通水を可能にする。
【００４２】
図８に示すように、給水タンク装置１０ａを、キャップ１０ｂ側を上に反転すると、送液部７に水６ｃは接触していないことから、当然送液部７から水６ｃは吐出しない。他方、吸気部８ｈの吐出口８ｇは、水６ｃ中に位置するが、タンク６ｅの外側からタンク６ｅ内への一方通行の逆止弁８ｄを備えるため、吸気口８ｂから水６ｃは吐出しない。
【００４３】
したがって、本件給水タンク装置１０ａは、研削等の作業中には、回転刃２ｂが下となり、送液部７も水６ｃの底部に位置することから、水６ｃが自然通水（スポンジ５に注水）する。他方、回転刃２ｂを使用しないときは、回転刃２ｂをタンク６ｅの上方に位置させれば、水６ｃは送液部７から無駄に排出することがなく、節水になる。また、ツマミ８ｃで空気のタンク６ｅ内への導入を遮断すれば、送液部７が水６ｃ底部にあっても、水６ｃは送液部７へ通水されない。
【実施例３】
【００４４】
次に、図９を参照して、追加される第二プロテクター１６について説明する。第二プロテクター１６は、実施例１のタンク給水式グラインダ１のグラインダ２の本体２ａ底部に垂れ下がる第二シート１６ａと、第二シート１６ａをグラインダ２の本体２ａに固定するバンド１６ｂと、バンド１６ｂを本体２ａに締め付け固定する留具１６ｃとからなる。第二シート１６ａは、シート１４と同様である。プロテクター１２を用いることなく、第二プロテクター１６を単独で使用することもできる。
【００４５】
グラインダ２の本体２ａの底部に第二シート１６ａを位置させることで、回転刃２ｂによってはじき飛ばされた水しぶきが本体２ａ及び手に当たることを防ぐことができる。グラインダ２は、本来防水機能を備えていないため、グラインダ２の故障、感電を防止するようにすることが望ましい。
【実施例４】
【００４６】
次に、図１０を参照して、他のプロテクター１７について説明する。プロテクター１７は、実施例１のプロテクター１２に換えて使用されるもので、カバー２ｃ底部に蝶ボルト１７ｂ、１７ｂによって着脱可能に固定される板部と前記板部から直交方向に伸びた左右張りだし部を備えるＴ字プレート１７ａと、前記左右張り出し部に留具１７ｄによって垂れ下げて固定されるシート１７ｃからなる。
【００４７】
プロテクター１７は、カバー２ｃに穴をあけ、蝶ボルト１７ｂで強固にカバー２ｃに固定されているため、また給水タンク装置１０もカバー２ｃに固定されていることから、カバー２ｃごと既存のグラインダ２のカバー２ｃに換え、本体２ａへの着脱が可能となる。
【実施例５】
【００４８】
次に、図１１、図１２を参照して、一体型プロテクター１８について説明する。一体型プロテクター１８は、実施例４のプロテクター１７の本体２ａ側の左張り出し部から本体２ａの底部までを覆う第二シート１８ａと、第二シート１８ａの裏面と前記左張り出し部を留具１８ｄ、１８ｅで連結するＬ字状の連結具１８ｃとからなる。第二シート１８ａの本体２ａ側端部は、本体２ａ形状に沿うように凸部１８ｂを備える。
【００４９】
グラインダ２の本体２ａの底部に第二シート１８ａを位置させることでも、回転刃２ｂによってはじき飛ばされた水しぶきが本体２ａ及び手に当たることを防ぐことができる。
【実施例６】
【００５０】
次に、図１３を参照して、強制送水式の水貯溜送液装置１５による回転刃２ｂへの送水方式を説明する。第三の実施形態は、タンク給水式グラインダ１に、さらに強制送水式の水貯溜送液装置１５を備える。
【００５１】
実施例１のタンク給水式グラインダ１からタンク６及び吸気部８を除き、送液部７に、水貯溜送液装置１５から送液される水１５ｂを通す送液チューブ１５ｇを連結することで、水貯溜送液装置１５からの水１５ｂの送液も可能とする。これにより、グラインダ２の作業時間に応じて、給水タンク装置１０、１０ａからの自然給水、水貯溜送液装置１５からの強制送液を選択し、２通りの給水方法を併用することが可能になる。
【００５２】
水貯溜送液装置１５は、水１５ｂを多量にためることができるタンク本体１５ａと、タンク本体１５ａ内に位置し、水１５ｂをタンク外に排出する内部チューブ１５ｄと、タンク本体１５ａの口に螺合するキャップ１５ｃと、キャップ１５ｃに取り付けられ、ピストン動作によりタンク本体１５ａ内の圧力を高める加圧部１５ｆと、内部チューブ１５ｄに連通し圧力で押し出された水１５ｂを通す送液チューブ１５ｇと、送液チューブ１５ｇと送液部７を連絡する連結管１５ｈと、送水量を調節するツマミ１５ｉとからなる。
【００５３】
タンク本体１５を用いることで、長時間のグラインダ作用が可能になるとともに、作業の開始、器具の洗浄、片付けが極めて用になる。水貯溜送液装置１５としては、市販の加圧式のアウトドアポンプなどが採用できる。コード２ｄと送液チューブ１５ｇは、結束帯などでひとまとめに束ねてもよい。コード２ｄ及び送液チューブ１５ｇが邪魔にならず、作業性がよくなる。
【００５４】
なお、タンク本体１５ａの水１５ｂの送液には、加圧式に換え、水を溜めた容器からポンプによる送液なども採用できる。さらには、送液チューブ１５ｇを水道の蛇口の栓に繋げて水を送液部７に供給してもよい。蛇口の開閉度などによって送水量を調節することもできる。
【符号の説明】
【００５５】
１      タンク給水式グラインダ
２      グラインダ
２ａ    本体
２ｂ    回転刃
２ｃ    カバー
２ｄ    コード
２ｅ    プラグ
２ｆ    第一穴
２ｇ    第二穴
２ｈ    第三穴
３      固定具
３ａ    左Ｌ字部
３ｂ    左Ｌ字溝
３ｃ    右Ｌ字部
３ｄ    右Ｌ字溝
３ｅ    連結部
３ｆ    留具
３ｇ    ネジ
３ｈ    左係止部
３ｉ    右係止部
３ｋ    蝶ナット
４      保持部
４ａ    穴
５      スポンジ
６      タンク
６ａ    本体
６ｂ    キャップ
６ｃ    水
６ｄ    空気
６ｅ    タンク
６ｆ    本体
６ｇ    キャップ
７      送液部
８      吸気部
８ａ    チューブ
８ｂ    吸気口
８ｃ    ツマミ
８ｄ    逆止弁
８ｅ    筒
８ｆ    弁
８ｇ    吐出口
８ｈ    吸気部
９      介在
９ａ    平板
９ｂ    穴
９ｃ    ネジ穴
９ｄ    垂下部
９ｅ    穴
９ｆ    ネジ
９ｇ    ネジ
１０    給水タンク装置
１０ａ  給水タンク装置
１２    プロテクター
１３    固定具
１３ａ  挟持部
１３ｂ  磁石
１３ｃ  ネジ
１３ｄ  蝶ボルト
１３ｅ  プレート
１３ｆ  留具
１４    シート
１５    水貯溜送液装置
１５ａ  タンク本体
１５ｂ  水
１５ｃ  キャップ
１５ｄ  内部チューブ
１５ｆ  加圧部
１５ｇ  送液チューブ
１５ｈ  連結管
１５ｉ  ツマミ
１６    第二プロテクター
１６ａ  第二シート
１６ｂ  バンド
１６ｃ  留具
１７    プロテクター
１７ａ  Ｔ字プレート
１７ｂ  蝶ボルト
１７ｃ  シート
１７ｄ  留具
１８    一体型プロテクター
１８ａ  第二シート
１８ｂ  凸部
１８ｃ  連結具
１８ｄ  留具
１８ｅ  留具
【図１】
0003192091.tif 000003
【図２】
0003192091.tif 000004
【図３】
0003192091.tif 000005
【図４】
0003192091.tif 000006
【図５】
0003192091.tif 000007
【図６】
0003192091.tif 000008
【図７】
0003192091.tif 000009
【図８】
0003192091.tif 000010
【図９】
0003192091.tif 000011
【図１０】
0003192091.tif 000012
【図１１】
0003192091.tif 000013
【図１２】
0003192091.tif 000014
【図１３】
0003192091.tif 000015